(57)【要約】      （修正有）【課題】多種多様な滑り止め加工に適用でき、滑り止め加工の時間と労力を低減し、滑り止め加工のコストを削減し、また、滑り止め加工により、色差が出ることを防止する方法の提供。【解決手段】キバタ、晒生地、無地染め生地又は捺染済み生地である生地をスクリーン捺染機、ロータリー捺染機、または、ローラー捺染機のいずれかにセットし、色糊により捺染を行う捺染工程を行い、染料としての色糊を除去し、色糊が接触した部分を洗浄し、色糊に代えて、滑り止め加工薬剤を注入し、入れ替え、捺染した生地をセットし、生地の捺染領域の表面に滑り止め加工薬剤により滑り止め加工を行う、滑り止め加工方法。【選択図】図４
2018080428.tif 000002
【特許請求の範囲】
【請求項１】
マシン捺染機、ロータリー捺染機、または、スクリーン捺染機のローラー型または型枠を捺染設備から取り外し、ローラー型又は型枠、及び、捺染設備の色糊に接触する部分の洗浄を行い、捺染設備に滑り止め加工薬剤を供給し、キバタ、晒生地、無地染め生地又は捺染済み生地である生地を前記捺染機にセットする工程と、
前記生地の片面又は両面に前記滑り止め加工薬剤により、前記捺染機を用いて、滑り止め加工を行う滑り止め加工工程と、
を備えることを特徴とする滑り止め加工方法。
【請求項２】
請求項１の滑り止め加工方法を用いて前記滑り止め加工を施された生地がふとんカバー又はまくらカバーの内側面に用いられる滑り止め方法。
【請求項３】
前記ふとんカバー又はまくらカバーが紐を備えた請求項２の滑り止め方法。
【請求項４】
請求項１の滑り止め加工方法を用いて前記滑り止め加工を施された生地が敷パッドまたはまくらパッドに用いられ、滑り止め加工が施された面を敷き布団の表面に対向するようにして敷き布団の上に敷いて使用するか、又は、前記生地がまくらパッドに用いられ、滑り止め加工が施された面をまくらの表面に対向するようにしてまくらに装着して使用する滑り止め方法。
【請求項５】
請求項１の滑り止め加工方法を用いて前記滑り止め加工を施された生地が毛布であり、滑り止め加工が施された面を掛け布団の表面に対向するようにして毛布の表面に乗せる滑り止め方法。
【請求項６】
請求項１の滑り止め加工方法を用いて前記滑り止め加工を施された生地がマルチカバーに用いられる滑り止め方法。
【発明の詳細な説明】
【技術分野】
【０００１】
本発明は、生地の表面に滑り止め加工薬剤により滑り止め加工を行う滑り止め加工を行う滑り止め加工方法である。
【背景技術】
【０００２】
コーティング、スクリーン印刷、スクリーン捺染等によって布の表面に滑り止め層を形成する発明がある。布製品の滑りやすい特定の面（裏面が多い）に滑り止めを突起またはシート（層状）で設ける発明が提案されている。
【０００３】
特許文献１は、繊維布帛基材と、その少なくとも片面にバインダー樹脂により固定された、粒子径が５μｍ以上２００μｍ以下のマイクロカプセルを含む滑り止め布帛である。
【０００４】
また、線状、点状または柄状にマイクロカプセルおよび樹脂バインダーを固定してもよいが、滑り止め性の観点からはマイクロカプセルおよび樹脂バインダーは繊維布帛基材上になるべく均一に固定化される。例えば、本発明の滑り止め布帛は、繊維布帛基材に、マイクロカプセルを添加したバインダー樹脂溶液を直接コーティングするダイレクトコーテイング法により製造することができる。コーティングの具体的な手法としては、ナイフコーター、グラビアコーター、ダイコーターなどを用いる方法がある。スクリーン印刷機等を用いることも可能である。
【０００５】
ダイレクトコーテイング法を利用する場合には、繊維布帛基材上になるべく均一にかつ薄くマイクロカプセルおよび樹脂バインダーを付与するために、２回以上コーティングを行うのが好ましい。また、離型紙の上に樹脂溶液を付与し、乾燥して樹脂皮膜を形成した後、ウレタン樹脂などの２液タイプの接着剤やホットメルト接着剤を樹脂皮膜上に塗布し、乾燥した後、熱ロールを用いて繊維基材と貼り合わせるドライラミネート法を用いることもできる。
【０００６】
特許文献２は、失禁シーツや羽布団のように滑りやすい状態のもの、あるいはコンピューターマウスの操作用マットのように滑っては困るものに、滑り止め機能を付与する技術を提供する。滑り止めシートは、アクリル系樹脂８０〜５０重量％とマイクロシェル状のアクリロニトリル系樹脂共重合体２０〜５０重量％とを調合し、この調合樹脂３〜２０重量％と所要量の分散剤とを９７〜８０重量％の水にセット混練して塗料とし、この塗料を布帛表面に塗布（ドクター法、スクリーン捺染法、ロータリー捺染法などの公知の方法）・乾燥（１２０℃×２分）し、熱処理（１５０℃×３分）したものである。
【０００７】
特許文献３は、表面に、通気性があり、滑り係数が０．１以上で撥水性が６０点以上からなる滑り止め層を配し、第二層には、透湿度が２，０００〜２０，０００ｇ／ｍ２／２４ｈｒの透湿防水膜を配し、第三層には保護層を設けて三層構造体とする。
【０００８】
滑り止め剤としては、滑り防止性を有するものであればよく、ゴム状のものや樹脂等が挙げられる。具体的には、ポリアミド系、ポリエステル系、ポリオレフィン系、合成ゴム系、アクリル系、ウレタン系、エポキシ系あるいはアスファルト類等がある。
【０００９】
滑り止め剤の付与方法としては、コーティング法、グラビアロール法、凸版印刷法、スクリーン捺染法等が挙げられる。滑り止め剤の塗布面積は、通気性を損なわなければ、全面でもよく、滑り止め効果が発揮される最小面積でも良い。
【００１０】
特許文献４は、滑らかで非擦過性の非スリップ性コーティングは、摂氏マイナス約３０度以上のガラス転移温度を有する結合材を該コーティングの乾燥重量に対して約８０〜約９９％と、膨張前の粒子直径が約５〜約３０ミクロンである熱膨張性微小球を前記コーティングの乾燥重量に対して約１〜約２０％とを有している。さらに、約０．８ミクロン以下の粗度を有するアノード化表面を有するアルミニウム板に対してＡＳＴＭ方法１８９４に従って求めたときの乾燥時の静摩擦係数が少なくとも約０．６であり、約０．８ミクロン以下の粗度を有するアノード化表面を有するアルミニウム板に対しての乾燥時の動摩擦係数が少なくとも約０．８である。基質としては、紙、フィルム、織物または不織生地を選択し得る発明である。
【００１１】
特許文献５は、滑り止めの糊成分を布に散点状に付着させる発明である。
【００１２】
特許文献６は、滑り止め材を塗布した不織シートの発明である。
【００１３】
特許文献７は、熱可塑性樹脂の繊維から成る不織布シート７上に、熱硬化性樹脂から成るインク１８を用いて適宜の滑り止め模様１９を印刷した後、上下の金型９、１２による加熱と加圧により、このインク１８を熱硬化させ、同時にそのベースたる不織布シート７を溶融、相互に融着させてソリッドフィルム化させ、もってこのシート上にエンボスを形成する。また、靴底の滑り止め模様１９に印刷した後、同方法でエンボスシートを得て、これをアウターソール４としてミッドソール３に被着して靴底とする発明である。
【００１４】
特許文献８には、材料が近年ではＰＶＣ材料に代えて、燃焼時に有毒ガスの発生が少ない、エチレンー酢酸ビニル共重合体、ポリプロピレン樹脂、ポリエチレン樹脂、エチレン−ビニルアルコール共重合樹脂、ポリエステル樹脂等のポリオレフィン系樹脂製の滑り止めマットが多く使われるようになってきている。
【先行技術文献】
【特許文献】
【００１５】
【特許文献１】特開２００２−１３０８０号公報
【特許文献２】特開２００１−１７２８６９号公報
【特許文献３】特開２００１−２３２７１０号公報
【特許文献４】特開平５−３３１３０５号公報
【特許文献５】特開平４−５７９７１号公報
【特許文献６】特開平２−１１８１７７号公報
【特許文献７】特開平５−６４８４０号公報
【特許文献８】実用新案登録第３１４１４６３号公報
【発明の概要】
【発明が解決しようとする課題】
【００１６】
従来の生地への滑り止め加工は、生地に捺染機により捺染を施し、別の機械で滑り止め加工を行っていたため、滑り止め加工に時間と労力を要し、また、滑り止めコストも増大する。
【００１７】
本発明は、多種多様な滑り止め加工に適用でき、滑り止め加工の時間と労力を低減し、滑り止め加工のコストを削減することを課題とする。また、滑り止め加工により、色差が出ることを防止することを課題とする。
【課題を解決するための手段】
【００１８】
上記課題に鑑み、本発明は、マシン捺染機、ロータリー捺染機、または、スクリーン捺染機のローラー型または型枠を捺染設備から取り外し、ローラー型又は型枠、及び、捺染設備の色糊に接触する部分の洗浄を行い、捺染設備に滑り止め加工薬剤を供給し、キバタ、晒生地、無地染め生地又は捺染済み生地である生地を前記捺染機にセットする工程と、前記生地の片面又は両面に前記滑り止め加工薬剤により、滑り止め加工を行う滑り止め加工工程と、を備えることを特徴とする滑り止め加工方法である。
【００１９】
滑り止め加工に関し、２種類がある。（１）Ａキバタのまま、Ｂ晒生地、Ｃ無地染め生地に対して滑り止め加工を行うものである。色糊による捺染を行わず、滑り止め加工を行う場合、生地の表裏面のどちらか一方の面または両面への加工を行うことができる。（２）色糊による捺染も行う場合、捺染と同じ面、捺染と反対面、両面とも滑り止め加工を行うことができる。
【００２０】
滑り止め加工の順序については、(1)Ａキバタのまま、Ｂ晒生地、Ｃ無地染め生地については、捺染工程はなく、その生地に直接滑り止め加工を施す工程となる。(2)捺染生地の場合、ａ．捺染が完了した生地に後から滑り止め加工を行う、ｂ．捺染が完了した生地に後から滑り止め加工を行い、さら捺染を行う、ｃ.最初に滑り止め加工を行い、その後、捺染を行う、３種類がある。
【００２１】
上記ａ．ｂ．の場合、前記生地が捺染面を有し、該捺染面の反対側の面への滑り止め加工は、前記捺染面への捺染が終わってから生地を裏返して、前記捺染面の反対側の面に滑り止め加工を行う例が挙げられる。
【００２２】
色の交換の要領及び洗浄について、詳細は以下の通りである。
【００２３】
1)型の洗浄方法
捺染用のローラー型（マシン捺染・ロータリー捺染の場合）または型枠（スクリーン捺染の場合）を捺染設備から取り外し、ローラー型・型枠を洗浄する。
【００２４】
2)捺染設備の洗浄
捺染設備には染料または顔料を投入する箱のような設備を有しており、そこからローラー型・型枠にパイプが伸びている。その部分を十分に洗浄して前に使用した染料または顔料が次の工程に写らないように十分に洗い流す。
【００２５】
3)上記洗浄を行ってから染料又は顔料を投入する設備に当該滑り止め薬剤（混合済み）を投入して、実際の捺染作業に入る。
【００２６】
前記滑り止め加工薬剤が、主溶剤と、バインダー剤と、粘度強化剤を含ことが好ましい。
【００２７】
滑り止め加工工程において、乾燥距離、乾燥時間、乾燥温度、及び、溶剤用量を調整することが好ましい。
【００２８】
請求項２の発明は、請求項１の滑り止め加工方法を用いて前記滑り止め加工を施された生地がふとんカバー又はまくらカバーの内側面に用いられる滑り止め方法である。
【００２９】
請求項３の発明は、前記ふとんカバー又はまくらカバーが紐を備えた請求項２の滑り止め方法である。
【００３０】
請求項４の発明は、請求項１の滑り止め加工方法を用いて前記滑り止め加工を施された生地が敷パッドまたはまくらパッドに用いられ、滑り止め加工が施された面を敷き布団の表面に対向するようにして敷き布団の上に敷いて使用するか、又は、前記生地がまくらパッドに用いられ、滑り止め加工が施された面をまくらの表面に対向するようにしてまくらに装着して使用する滑り止め方法である。
【００３１】
請求項５の発明は、請求項１の滑り止め加工方法を用いて前記滑り止め加工を施された生地が毛布であり、滑り止め加工が施された面を掛け布団の表面に対向するようにして毛布の表面に乗せる滑り止め方法である。
【００３２】
請求項６の発明は、請求項１の滑り止め加工方法を用いて前記滑り止め加工を施された生地がマルチカバーに用いられる滑り止め方法である。
【発明の効果】
【００３３】
請求項１の発明は、捺染機を利用して、捺染と同じやり方で滑り止め加工ができるので、多種多様な滑り止め加工に適用でき、また、滑り止め加工の時間と労力を低減し、滑り止め加工のコストを削減することができる。多種多様な滑り止め加工に対応できるし、滑り止め加工のパターンを豊富にすることができる。
【００３４】
請求項２のふとんカバー又はまくらカバーを用いる滑り止め方法によれば、ふとんカバー等にふとんが入る側にカバー内部に滑り止め面を使用することで、内部でふとんがズレることを防ぐことができる。
【００３５】
請求項３のふとんカバー又はまくらカバーを用いる滑り止め方法によれば、一般的な掛ふとんカバーは内側に４〜６ヶ所紐がついており、掛ふとんとカバーがズレないためにふとんとこの紐を結ぶ必要、洗濯等で掛ふとんからカバーを取り外した際に毎回掛ふとんと紐を結びつけ直す必要があるが、掛ふとんカバーの内側（ふとんを入れる部分）に滑り止め加工を施すことでいちいち紐を結び直すことをしなくても内側の滑り止め加工がカバーと掛ふとんのズレを防止する。敷ふとんカバー・まくらカバーについては内部に滑り止め加工を施すことで、カバーと敷ふとん及びまくらのズレを防止し、就寝後にいちいちズレを治す手間を省くことができるとともに、しわをしっかり伸ばすことで寝心地感を向上させる。
【００３６】
請求項４の敷パッドやまくらパッドを用いる滑り止め方法によれば、寝返り等をすると敷パッドやまくらパッドがズレて偏ってしまうことが有り、このことを解消し、就寝時や朝起きたときに敷パッドやまくらパッドのズレをいちいちその度に治す手間を解消するとともに、ズレや偏りによる寝心地感が悪化することを解消する。
【００３７】
請求項５の毛布を用いる滑り止め方法によれば、その表面には合成繊維（アクリル・ポリエステル等々）を使用したものが多く、毛布の上部に乗せる掛ふとんが滑り落ちることが有り、また寝返り等をすることでさらに滑りやすくなり、毛布から掛ふとんが滑り落ちることがあるが、毛布の表側に滑り止め加工を施すことで、この不便を解消することができる。
【００３８】
請求項６のマルチカバーを用いる滑り止め方法によれば、ソファーカバーがカーペットの代用品として使用されることが多いが、一般的なマルチカバーは滑り止め加工が施されていないため、座ったり立ったりする場合ソファーとマルチカバーにズレが発生することを防止する。またカーペットの代用品として使用する場合も床とマルチカバーのズレや偏りなどが発生することが多く、滑り止め加工を施すことで同現象を解消する。
【図面の簡単な説明】
【００３９】
【図１】本発明の実施形態の滑り止め加工方法に適用されるスクリーン捺染機の説明図である。
【図２】同じくロータリー捺染機の捺染部の説明図である。
【図３】同じくローラー捺染機の捺染部の説明図である。
【図４】同じくロータリー捺染機を利用した滑り止め加工方法１を示すフローチャートである。
【図５】同じくロータリー捺染機を利用した滑り止め加工方法２を示すフローチャートである。
【図６】同じくロータリー捺染機を利用した滑り止め加工方法３を示すフローチャートである。
【図７】同じくロータリー捺染機を利用した滑り止め加工方法４を示すフローチャートである。
【発明を実施するための形態】
【００４０】
本発明の実施形態１の滑り止め加工方法について図面を参照し説明する。まず、滑り止め加工方法に用いるスクリーン捺染機１、ロータリー捺染機１０１、または、ローラー捺染機２０１（マシン捺染機ともいう。）について説明する。スクリーン捺染機１、ロータリー捺染機１０１、または、ローラー捺染機２０１は、基本的な構成は同様であるが、捺染部２が、それぞれ、捺染部１０２、捺染部２０２に置き換わる。以下、それぞれを説明する。
【００４１】
スクリーン捺染機１は、図１に示す通り、セットされる生地３を捺染部２に搬送するローラー４ａ〜４ｆ等を備えている。捺染部２はコンベア２ａと、スクリーン枠２ｂと、ヒータ２ｃと、水洗装置２ｄと、を備えている。また、ベルト糊付け装置５をベルトコンベア２ａの前端部に備えており、スクリーン捺染機１は生地３を乾燥する乾燥部６と、捺染部２で捺染された生地３を乾燥部６に搬送するベルトコンベア７と、生地３の収容部８と、を備えている。
【００４２】
スクリーン捺染は、オートスクリーン捺染（プリント）・フラットスクリーン捺染（プリント）とも言う。エンドレスベルト上に張った生地に、スクリーン型枠を置きスキージと呼ばれるヘラ状の物で色糊を付けたスクリーン型枠のスクリーンを擦りながら動かすこと（スキージング）で生地に色糊を捺染していく。生地は自動的にスクリーン捺染機１枠分移動し、スクリーン型枠も自動的に上下運動を繰り返す。スクリーン型枠は捺染（印捺）する色の数だけ必要となり、多色の捺染（印捺）が可能である。スクリーン型枠１枚分の大きさの柄を捺染（印捺）することが出来る。
【００４３】
ロータリースクリーン捺染（プリント）は、スクリーン捺染（プリント）のスクリーン型枠を円筒形の筒（ロータリースクリーン）に変えたものがロータリースクリーン捺染である。ロータリー捺染とも呼称される。スクリーン捺染（プリント）よりも連続的に高速に捺染（印捺）することが出来る。ロータリースクリーンは捺染（印捺）する色の数だけ必要となり、多色の捺染（印捺）が可能である。捺染（プリント）の柄の大きさはロータリースクリーンの円周の長さの柄に限定される。
【００４４】
ローラー捺染（プリント）は、マシン捺染（ローラープリント）とも呼ばれ、凹版銅製のロールの凹部に色糊を付けて高速で捺染（印捺）する。凹版銅製のロールは捺染（印捺）する色の数だけ必要となるが、設備の構造上、スクリーン捺染（プリント）・ロータリースクリーン捺染（プリント）よりもロールの数が少なくなるため、色の数は限定されるため捺染（印捺）する柄は比較的単純なデザインに限定される。
【００４５】
図２に示す通り、ロータリー捺染機１０１の捺染部１０２は、ベルトコンベア１０２ａと、ベルトコンベア１０２ａの外側に配置されるスクリーンローラー１０２ｂと、ベルトコンベア１０２ａの内側にスクリーンローラー１０２ｂと対向配置される保持ローラー１０２ｃと、スクリーンローラー１０２ｂの中心にある色糊供給ポンプ１０２ｄと、色糊供給ポンプ１０２ｄから色糊１０２ｆをスクリーンローラー１０２ｂに供給するスキージ１０２ｅと、を備えている。
【００４６】
図３に示す通り、ローラー捺染機２０１の捺染部２０２は、加圧シリンダ２０２ａと、加圧シリンダ２０２ａの外周部に複数個（ここでは３個）、周設されたドクター２０２ｂと、彫刻ローラー２０２ｃと、彫刻ローラー２０２ｃに色糊を供給する糊供給ローラー２０２ｄと、糊供給ローラー２０２ｄに色糊を供給する糊箱２０２ｅと、を備えている。２０３ａは白布、２０３ｂはアンダークロス、２０３ｃはブランケットである。
【００４７】
滑り止め加工に関し、(1)Ａキバタのまま、Ｂ晒生地、Ｃ無地染め、Ｄ捺染生地の４種類がある。(2)Ｄ捺染生地の場合、捺染生地と同じ面、捺染生地と反対面、又は両面とも滑り止め加工が可能である。(3)捺染生地以外の生地の場合（Ａキバタのまま、Ｂ晒生地、Ｃ無地染め生地）の場合は、どちらか一方の面または両面への加工が可能である。
【００４８】
滑り止め加工方法１〜４の４種類を説明する。
【００４９】
滑り止め加工方法１は図４に示す方法であり、捺染生地以外の生地の場合（Ａキバタのまま、Ｂ晒生地、Ｃ無地染め生地）であり、生地が捺染面を有さず、片面又は両面へ滑り止め加工を行う滑り止め加工方法であり、色による捺染工程はなく、その生地に捺染機を用いて直接滑り止め加工を施す工程となる。
【００５０】
滑り止め加工方法２〜４は、生地が捺染面を有する生地である。
【００５１】
すなわち、捺染をしながら滑り止め加工を施す方法は３種類がある。
(a)捺染を行った後、最後に滑り止め加工を行う。すなわち、図５に示す滑り止め加工方法２において、捺染をしながら滑り止め加工を行う方法である。
(b)捺染を行った後、滑り止め加工を行い、その後、捺染を行う。すなわち、図６に示す滑り止め加工方法３である。
(c)生地に滑り止め加工を行った後、捺染を行う。すなわち、図７に示す滑り止め加工方法４である。
【００５２】
まず、滑り止め加工方法１について図４を参照して説明する。
【００５３】
ここでは、ロータリー捺染機１０１の例を挙げて説明する。スクリーン捺染機１、または、ローラー捺染機２０１のいずれを使用しても、同様の要領で実施可能である。なお、ロータリー捺染機１０１のローラー本数及びスクリーン捺染の型枠の数は捺染する色数により、図示例の本数よりも増減する。スクリーン捺染機１の場合には、スクリーンローラー１０２ｂに代えて型枠等に変更となり設備の形状が変更となる。また、ローラー捺染機２０１の場合には、捺染ローラーの本数が例えば４本に制限され、設備の形状が変更になる。
【００５４】
まず、捺染機から、染料としての色糊を除去し、色糊が接触した部分を洗浄する（Ｓ１０１）。この入れ替えは、捺染の場合の色変えによる色糊の交換と同様の要領で行う。図２で、ベルトコンベア１０２ａの１周分と、スクリーンローラー１０２ｂと、保持ローラー１０２ｃと、色糊供給ポンプ１０２ｄと、スキージ１０２ｅと、を洗浄する。なお、図１の場合では、点線領域とベルトコンベア１周分を洗浄する。
【００５５】
捺染機の洗浄要領について、以下の通りである。
1)型の洗浄方法
捺染用のローラー型（マシン捺染・ロータリー捺染の場合）または型枠（スクリーン捺染の場合）を捺染設備から取り外し、ローラー型・型枠を洗浄する。
【００５６】
2)捺染設備の洗浄
捺染設備には染料または顔料を投入する箱のような設備（色糊容器）を有しており、そこからローラー型にパイプが伸びている。その部分を十分に洗浄して前に使用した染料または顔料が次の工程に写らないように十分に洗い流す。
【００５７】
3)上記洗浄を行ってから染料又は顔料を投入する設備に色糊または当該滑り止め薬剤（混合済み）を投入して、実際の捺染及び滑り止め作業に入る。
【００５８】
つぎに生地３をロータリー捺染機１０１にセットする（Ｓ１０２）。
【００５９】
つぎに、ロータリー捺染機１０１により、生地３の表面に滑り止め加工薬剤により滑り止め加工を行う（Ｓ１０３）。滑り止め加工工程には滑り止め加工と、これに引き続いて行われる乾燥工程を含む。
【００６０】
滑り止め加工薬剤は、表１に示す通り、主溶剤と、バインダー剤と、粘度強化剤を含む。滑り止め加工薬剤は、主溶剤がアクリル樹脂、バインダー剤はブチルアクリレート（Butyl Acrylate）、粘度強化剤はアクリル酸（Acrylic acid）が例示される。乾燥距離が約36m、乾燥時間が約2分20秒、乾燥温度が約124°C、溶剤用量は30〜40g/m2が例示される。ここでいう圧力とは、ローラー型及び型枠を生地に押し当てて滑り止め材を捺染するが、その際の押し当てる際の圧力、乾燥距離とは滑り止め捺染後に薬剤を生地に安定固着させるために乾燥を加工後の生地を捺染設備後方に設置されている乾燥機で乾燥させる際の距離である。この部分の温度やスピード（乾燥時間）を調整することで生地へ薬剤の安定性を確保できる。
【００６１】
【表１】
2018080428.tif 000003
【００６２】
滑り止め剤は、捺染で滑り止め加工するための専用加工剤である。各種繊維に適用できる。製品の摩擦力を高めて、形を固めることができる。
【００６３】
アクリル樹脂の一般性状は、外観が乳白色乳液、イオン性がアニオン、ＰＨ７±１、溶解性が常温水に任意の割合で容易に溶解できる。
対象は各種繊維（天然繊維、合成繊維）に使用でき、使用濃度は対象とする素材や加工の目的などにより一定ではないが、目安として１０〜６０ｇ/ｍ2である。
【００６４】
滑り止め加工工程において、用途等によって、上記乾燥距離、乾燥時間、乾燥温度、及び、溶剤用量を適宜、調整するので、上記数値は例示である。
【００６５】
以上の通り、滑り止め加工方法１によれば、捺染機を利用した滑り止め加工を行うことができ、捺染と同じやり方で滑り止め加工ができるので、多種多様な滑り止め加工に適用でき、また、滑り止め加工の時間と労力を低減し、滑り止め加工のコストを削減することができる。滑り止め加工のパターンを豊富にすることができる。滑り止め加工の品質の向上を図ることができる。
【００６６】
つぎに、滑り止め加工方法２について図５を参照して説明する。
【００６７】
最初に捺染設備等の洗浄を行う。下記工程（生地投入、捺染、乾燥）が一連の流れで行われるため、生地を投入する時点で設備及びローラー部分を洗浄するためである。すなわち、染料としての色糊又は滑り止め剤を除去し、色糊又は滑り止め剤が接触した部分を洗浄し、色糊を注入する（Ｓ２０１）。この注入は、色糊容器に注入することで、捺染の場合の色変えによる色糊の交換と同様の要領で行う。洗浄要領について、滑り止め加工方法１と同様であるので、説明は援用する。
【００６８】
まず、生地３をロータリー捺染機１０１にセットする（Ｓ２０２）。
【００６９】
つぎに、色糊により生地に捺染を行う（Ｓ２０３）。
【００７０】
次に捺染設備等の洗浄を行う。下記滑り止め工程が円滑に行うため、生地を投入する時点で設備及びローラー部分に色移りがないように洗浄するためである。すなわち、染料としての色糊を除去し、色糊が接触した部分を洗浄し、滑り止め加工薬剤を注入する（Ｓ２０４）。この注入は、色糊容器に滑り止め剤を注入することで、捺染の場合の色変えによる色糊の交換と同様の要領で行う。洗浄要領について、滑り止め加工方法１と同様であるので、説明は援用する。
【００７１】
最後に滑り止め加工を行う（Ｓ２０５）。これに引き続いて乾燥工程を行い、処理を終了する。
【００７２】
以上の通り、滑り止め加工方法２によれば、捺染機を利用した滑り止め加工と捺染を行いながら、最後に、捺染と同じやり方で滑り止め加工ができるので、多種多様な滑り止め加工に適用でき、また、滑り止め加工の時間と労力を低減し、滑り止め加工のコストを削減することができる。滑り止め加工のパターンを豊富にすることができる。さらに、布団カバー等の各種製品において、捺染部分の上に滑り止め加工が可能となるので、色差の違和感や見栄え、凹凸感、肌触りの感触の悪さ等を防止でき、滑り止め加工の品質の向上を図ることができる。
【００７３】
つぎに、滑り止め加工方法３について図６を参照して説明する。ステップＳ３０１〜Ｓ３０５は、滑り止め加工方法２のステップＳ２０１〜Ｓ２０５と同様であるので、説明は援用する。つぎにＳ３０７は、Ｓ３０３と同様の要領で捺染を行い、乾燥工程を行い、処理を終了する。
【００７４】
以上の通り、滑り止め加工方法３によれば、捺染機を利用した滑り止め加工を捺染の途中で行うことができ、捺染と同じやり方で滑り止め加工ができるので、多種多様な滑り止め加工に適用でき、また、滑り止め加工の時間と労力を低減し、滑り止め加工のコストを削減することができる。滑り止め加工のパターンを豊富にすることができる。さらに、布団カバー等の各種製品において、滑り止め加工した領域の上に捺染が可能となるので、色差の違和感や見栄え、凹凸感、肌触りの感触の悪さ等を確実に防止でき、滑り止め加工の品質の向上を図ることができる。
【００７５】
つぎに、滑り止め加工方法４について図７を参照して説明する。滑り止め加工方法４のステップＳ４０１〜Ｓ４０３については、滑り止め加工方法１のステップＳ１０１〜１０３と同様の要領であるので、説明は援用する。つぎにＳ４０４は、滑り止め加工済みの生地をセットし、Ｓ４０６は、滑り止め加工方法３のＳ３０７と同様の要領で捺染を行い、乾燥工程を行い、処理を終了する。
【００７６】
以上の通り、実施形態１の滑り止め加工方法１〜４によれば、捺染機を利用した滑り止め加工を最初に行うことができ、捺染と同じやり方で滑り止め加工ができるので、多種多様な滑り止め加工に適用でき、また、滑り止め加工の時間と労力を低減し、滑り止め加工のコストを削減することができる。滑り止め加工を行ってから、捺染を行うので、滑り止め加工パターンを豊富にすることができる。さらに、布団カバー等の各種製品において、滑り止め加工した領域の上に捺染が可能となるので、色差の違和感や見栄え、凹凸感、肌触りの感触の悪さ等を確実に防止でき、滑り止め加工の品質の向上を図ることができる。
【００７７】
実施形態２の滑り止め加工方法を用いて前記滑り止め加工を施された生地が敷パッドまたはまくらパッドに用いられ、滑り止め加工が施された面を敷き布団の表面に対向するようにして敷き布団の上に敷いて使用するか、又は、前記生地がまくらパッドに用いられ、滑り止め加工が施された面をまくらの表面に対向するようにしてまくらに装着して使用する滑り止め方法である。敷ふとんカバー・まくらカバーについては内部に滑り止め加工を施すことで、カバーと敷ふとん及びまくらのズレを防止することで、就寝後にいちいちズレを治す手間を省くことができるとともに、しわをしっかり伸ばすことで寝心地感を向上させる。
【００７８】
実施形態３のふとんカバー又はまくらカバーを用いる滑り止め方法によれば、前記ふとんカバー又はまくらカバーが紐を備えた滑り止め方法である。一般的な掛ふとんカバーは内側に４〜６ヶ所紐がついており、掛ふとんとカバーがズレないためにふとんとこの紐を結ぶ必要、洗濯等で掛ふとんからカバーを取り外した際に毎回掛ふとんと紐を結びつけ直す必要があるが、掛ふとんカバーの内側（ふとんを入れる部分）に滑り止め加工を施すことでいちいち紐を結び直すことをしなくても内側の滑り止め加工がカバーと掛ふとんのズレを防止する。
【００７９】
実施形態４の敷パッドやまくらパッドを用いる滑り止め方法によれば、前記滑り止め加工方法を用いて前記滑り止め加工を施された生地が敷パッドまたはまくらパッドに用いられ、滑り止め加工が施された面を敷き布団の表面に対向するようにして敷き布団の上に敷いて使用するか、又は、前記生地がまくらパッドに用いられ、滑り止め加工が施された面をまくらの表面に対向するようにしてまくらに装着して使用する滑り止め方法である。寝返り等をすると敷パッドやまくらパッドがズレて偏ってしまうことが有り、このことを解消し、就寝時や朝起きたときに敷パッドやまくらパッドのズレをいちいちその度に治す手間を解消するとともに、ズレや偏りによる寝心地感が悪化することを解消する。
【００８０】
実施形態５の毛布を用いる滑り止め方法によれば、滑り止め加工方法を用いて前記滑り止め加工を施された生地が毛布であり、滑り止め加工が施された面を掛け布団の表面に対向するようにして毛布の表面に乗せる滑り止め方法である。毛布の表面には合成繊維（アクリル・ポリエステル等々）を使用したものが多く、毛布の上部に乗せる掛ふとんが滑り落ちることが有り、また寝返り等をすることでさらに滑りやすくなり、毛布から掛ふとんが滑り落ちることがあるが、毛布の表側に滑り止め加工を施すことで、この不便を解消することができる。
【００８１】
実施形態６のマルチカバーを用いる滑り止め方法によれば、前記滑り止め加工方法を用いて前記滑り止め加工を施された生地がマルチカバーに用いられる滑り止め方法である。ソファーカバーがカーペットの代用品として使用されることが多いが、一般的なマルチカバーは滑り止め加工が施されていないため、座ったり立ったりする場合、ソファーとマルチカバーにズレが発生することを防止する。またカーペットの代用品として使用する場合も床とマルチカバーのズレや偏りなどが発生することが多く、滑り止め加工を施すことで同現象を解消する。
【００８２】
以上の実施形態は、本発明の実施のための好ましい実施形態の例示である。また、当業者は、本発明の開示に鑑みて、本発明の要旨から離れることなく多数の改良、変更、置換、欠失、追加等が可能である。例えば、生地に絵柄の捺染をする場合のほか、当然、無地一色の染色の場合にも適用が可能である。
【産業上の利用可能性】
【００８３】
本発明は、捺染機を利用した生地への滑り止め加工、滑り止め方法の利用と用途が広がる。
【符号の説明】
【００８４】
１・・・スクリーン捺染機
１０１・・・ロータリー捺染機
２０１・・・ローラー捺染機
２・・・捺染部
３・・・生地
４ａ〜４ｆ・・・ローラー
２ａ・・・コンベア
２ｂ・・・スクリーン枠
２ｃ・・・ヒータ
２ｄ・・・水洗装置
５・・・ベルト糊付け装置
６・・・乾燥部
７・・・ベルトコンベア
８・・・収容部
１０２・・・捺染部
１０２ａ・・・ベルトコンベア
１０２ｂ・・・スクリーンローラー
１０２ｃ・・・保持ローラー
１０２ｄ・・・色糊供給ポンプ
１０２ｅ・・・スキージ
１０２ｆ・・・色糊
２０２・・・捺染部
２０２ａ・・・加圧シリンダ
２０２ｂ・・・ドクター
２０２ｃ・・・彫刻ローラー
２０２ｄ・・・糊供給ローラー
２０２ｅ・・・糊箱
２０３・・・印捺布
２０３ａ・・・白布
２０３ｂ・・・アンダークロス
２０３ｃ・・・ブランケット
【図１】
2018080428.tif 000004
【図２】
2018080428.tif 000005
【図３】
2018080428.tif 000006
【図４】
2018080428.tif 000007
【図５】
2018080428.tif 000008
【図６】
2018080428.tif 000009
【図７】
2018080428.tif 000010